(57)【要約】【課題】  原稿画像データに対し複写禁止を示すパターン情報を合成した合成画像データについて、当該パターン情報を検知し易くする。【解決手段】  画像データ生成手段９は原稿を読み込んで画像データを生成する。パターン情報合成手段１３は生成された原稿画像データに複写禁止頁を示すパターン情報５を合成して合成画像データを生成する。パターン情報検知手段１５は合成画像データからそのパターン情報５を検知する。合成制御手段１７は、パターン情報検知手段１５がそのパターン情報５を検知しないとき、そのパターン情報５に対する原稿画像データの位置関係を可変して合成画像データを再合成するようパターン情報合成手段１３を制御する。印刷手段１９は画像データを印刷する。【選択図】  図１
2008061021.tif 000002
【特許請求の範囲】
【請求項１】
原稿から原稿画像データを生成する画像データ生成手段と、
生成された前記原稿画像データに複写禁止頁を示すパターン情報を合成して合成画像データを生成するパターン情報合成手段と、
前記合成画像データから前記パターン情報を検知するパターン情報検知手段と、
このパターン情報検知手段が前記パターン情報を検知しないとき、前記パターン情報に対する前記原稿画像データの合成関係を可変して白紙領域を増加させた前記合成画像データの再合成を制御する合成制御手段と、
前記画像データを記憶する記憶手段と、
を具備することを特徴とする画像処理装置。
【請求項２】
前記合成制御手段は、前記パターン情報に対する前記原稿画像データの位置関係を可変制御する請求項１記載の画像処理装置。
【請求項３】
前記合成制御手段は、前記パターン情報に対する前記原稿画像データ位置をずらせる請求項２記載の画像処理装置。
【請求項４】
前記合成制御手段は、前記パターン情報に対する前記原稿画像データを縮小する請求項２記載の画像処理装置。
【請求項５】
前記パターン情報検知手段が前記パターン情報を検知したとき、前記記憶手段に記憶された前記画像データを印刷する印刷手段を有する請求項１〜４いずれか１記載の画像処理装置。
【請求項６】
原稿から原稿画像データを生成する画像データ生成工程と、
生成された前記原稿画像データに複写禁止頁を示すパターン情報を合成して合成画像データを生成するパターン情報合成工程と、
前記合成画像データから前記パターン情報を検知するパターン情報検知工程と、
このパターン情報検知手段が前記パターン情報を検知しないとき、前記パターン情報に対する前記原稿画像データの合成関係を可変して白紙領域を増加させた前記合成画像データの再合成を制御する合成制御工程と、
前記画像データを記憶する記憶工程と、
を具備することを特徴とする画像処理方法。
【請求項７】
前記合成制御工程は、前記パターン情報に対する前記原稿画像データの位置関係を可変する請求項６記載の画像処理方法。
【請求項８】
前記合成制御工程は、前記パターン情報に対する前記原稿画像データ位置をずらせる請求項７記載の画像処理方法。
【請求項９】
前記合成制御工程は、前記パターン情報に対する前記原稿画像データを縮小する請求項７記載の画像処理方法。
【請求項１０】
前記パターン情報検知工程が前記パターン情報を検知したとき、記憶にされた前記画像データを印刷する印刷工程を有する請求項６〜９いずれか１記載の画像処理方法。
【請求項１１】
原稿から原稿画像データを生成するとともにこの原稿画像データに複写禁止頁を示すパターン情報を合成して合成画像データを生成する機能を実行する画像処理用コンピュータに、
前記原稿画像データを生成する画像データ生成処理と、
生成された前記原稿画像データに対して前記パターン情報を合成するパターン情報合成処理と、
前記合成画像データから前記パターン情報を検知するパターン情報検知処理と、
このパターン情報検知処理で前記パターン情報が検知されないとき、前記パターン情報に対する前記原稿画像データの合成関係を可変して白紙領域を増加させた前記合成画像データの再合成を制御する合成制御処理と、
前記画像データを記憶する記憶処理と、
を実行させることを特徴とする画像処理プログラム。
【請求項１２】
前記合成制御処理は、前記パターン情報に対する前記原稿画像データの位置関係を可変する請求項１１記載の画像処理プログラム。
【請求項１３】
前記合成制御処理は、前記パターン情報に対する前記原稿画像データ位置をずらせる請求項１２記載の画像処理プログラム。
【請求項１４】
前記合成制御処理は、前記パターン情報に対する前記原稿画像データを縮小する請求項１２記載の画像処理プログラム。
【請求項１５】
前記パターン情報検知処理が前記パターン情報を検知したとき、記憶にされた前記画像データの印刷処理を実行する請求項１１〜１４いずれか１記載の画像処理プログラム。
【請求項１６】
前記請求項１１〜１５いずれか１記載の画像処理プログラムを記憶することを特徴とする記憶媒体。
【発明の詳細な説明】
【技術分野】
【０００１】
本発明は画像処理装置、画像処理方法、画像処理プログラムおよび記憶媒体に係り、複写抑止機能を搭載した複写機、ファクシミリ機およびこれらの複合機（ＭＦＰ：Multi Function Peripheral）に用いて好適する画像処理装置、画像処理方法、画像処理プログラムおよび記憶媒体の改良に関する。
【背景技術】
【０００２】
近年、市場における文書セキュリティ向上の要求に応えるため、複写（コピー）を禁止する文書であることを示すパターン情報を予め原稿に埋め込んでおき、そのパターン情報が検出された場合、何らかの手段で複写を抑止する機能を搭載した複写機等が製品化されている。
【０００３】
すなわち、図５Ａに示すように、用紙１に対し、小さなドットからなる背景領域３ａと、この背景領域３ａ中に埋め込まれた若干大きなドットからなり複写を禁止する趣旨のメッセージ情報３ｂ（同図Ａでは見えない）とからなるパターン情報５を印刷するとともに、さらに当該用紙１に目的の文書内容を印刷して例えば「契約書」を作成する。
【０００４】
この印刷済み用紙１を複写機で複写すると、図５Ｂに示すように、複写物１ａには背景領域３ａ中に埋め込んだ「複写禁止」といったメッセージ情報３ｂが黒く浮かび上がったり、同図Ｃに示すように、複写物１ｂに背景領域３ａが浮かび上がってメッセージ情報３ｂが白抜き状態になり、複写操作者に対してその印刷済み用紙１が複写禁止されているものである旨を間接的に告知し、複写を抑制している。
【０００５】
複写物１ａにおいて、背景領域３ａ中に埋め込んだメッセージ情報３ｂが、図５Ｂのように黒く浮かび上がる理由は、背景領域３ａを図６Ａのような小さなドットｄ１にする一方、メッセージ情報３ｂを同図Ｂのようにドットｄ１より大きなドットｄ２で埋め込むことにより、小さなドットｄ１が大きなドットｄ２より複写再現され難いことによる。
【０００６】
複写物１ｂにおいて、背景領域３ａが図５Ｃのように黒く浮かび上がる場合は、逆に、背景領域３ａを図６Ｂのような大きなドットｄ２とし、メッセージ情報３ｂを同図Ａのような小さなドットｄ１にすることによって得られる。
【０００７】
そして、このように複写禁止を示すパターン情報５が埋め込まれた印刷済み用紙１を複写機で複写する場合、読み込んだ画像データからパターン情報５が検知されたとき、当該複写禁止頁の画像データを印刷出力させないことによって文書セキュリティを確保する構成が可能である。
【０００８】
ところが、読み込んだ画像データから本来検知されるべきパターン情報５が検知されないと、複写禁止頁の画像データが印刷出力されてしまう不都合が生じ易い。
【０００９】
そこで、例えば特開２００５−４３５１１号公報（特許文献１）のように、自己の装置を特定するための追跡マークを自動的に付加した画像データに基づく記録媒体に画像処理を行う画像処理装置において、その記録媒体に出力される追跡マークの有無を確認するための確認手段を備えて構成し、追加マークの有無を確実に確認し、追加マークが付加されていない場合に、その原因がどこにあるのか確認可能にする技術が提案されている。
【特許文献１】特開２００５−４３５１１号公報
【発明の開示】
【発明が解決しようとする課題】
【００１０】
しかしながら、上述した特許文献１では、読み取った画像データから追加マークの有無を確実に確認し、追加マークが付加されていない場合に、その原因がどこにあるのか確認するのみであり、パターン情報５に相当する追加マークが検出されない場合、それをどのように検知可能に構成するかを具体的に示すものではなく、文書セキュリティ確保の観点から改善が望まれていた。
【００１１】
本発明はそのような課題を解決するためになされたもので、複写禁止を示すパターン情報が予め埋め込まれた画像データについて当該パターン情報を検知し易くした画像処理装置、画像処理方法、画像処理プログラムおよび記憶媒体の提供を目的とする。
【課題を解決するための手段】
【００１２】
そのような課題を解決するために本発明に係る画像処理装置は、原稿から原稿画像データを生成する画像データ生成手段と、生成された原稿画像データに複写禁止頁を示すパターン情報を合成して合成画像データを生成するパターン情報合成手段と、その合成画像データからそのパターン情報を検知するパターン情報検知手段と、このパターン情報検知手段がそのパターン情報を検知しないとき、そのパターン情報に対するその原稿画像データの合成関係を可変して白紙領域を増加させた合成画像データの再合成を制御する合成制御手段と、その画像データを記憶する記憶手段とを具備している。
【００１３】
本発明の画像処理装置では、上記合成制御手段が、そのパターン情報に対する原稿画像データの位置関係を可変制御する構成も可能である。
【００１４】
本発明の画像処理装置では、上記合成制御手段が、そのパターン情報に対する原稿画像データ位置をずらせる構成も可能である。
【００１５】
本発明の画像処理装置では、上記合成制御手段が、そのパターン情報に対する原稿画像データを縮小する構成も可能である。
【００１６】
本発明の画像処理装置では、上記パターン情報検知手段がそのパターン情報を検知したとき、上記記憶手段に記憶された画像データを印刷する印刷手段を有する構成も可能である。
【００１７】
また、本発明に係る画像処理方法は、原稿から原稿画像データを生成する画像データ生成工程と、生成されたその原稿画像データに複写禁止頁を示すパターン情報を合成して合成画像データを生成するパターン情報合成工程と、その合成画像データからそのパターン情報を検知するパターン情報検知工程と、このパターン情報検知手段がそのパターン情報を検知しないとき、そのパターン情報に対する原稿画像データの合成関係を可変して白紙領域を増加させたその合成画像データの再合成を制御する合成制御工程と、その画像データを記憶する記憶工程とを具備している。
【００１８】
本発明の画像処理方法では、上記合成制御工程が、そのパターン情報に対する原稿画像データの位置関係を可変する構成も可能である。
【００１９】
本発明の画像処理方法では、上記合成制御工程が、そのパターン情報に対する原稿画像データ位置をずらせる構成も可能である。
【００２０】
本発明の画像処理方法では、上記合成制御工程が、そのパターン情報に対する原稿画像データを縮小する構成も可能である。
【００２１】
本発明の画像処理方法では、上記パターン情報検知工程がそのパターン情報を検知したとき、記憶されたその画像データを印刷する印刷工程を有する構成も可能である。
【００２２】
さらに、本発明に係る画像処理プログラムは、原稿から原稿画像データを生成するとともにこの原稿画像データに複写禁止頁を示すパターン情報を合成して合成画像データを生成する機能を実行する画像処理用コンピュータに、その原稿画像データを生成する画像データ生成処理と、生成された原稿画像データに対してそのパターン情報を合成するパターン情報合成処理と、その合成画像データからパターン情報を検知するパターン情報検知処理と、このパターン情報検知処理でそのパターン情報が検知されないとき、そのパターン情報に対するその原稿画像データの合成関係を可変して白紙領域を増加させたその合成画像データの再合成を制御する合成制御処理と、その画像データを記憶する記憶処理とを実行させるものである。
【００２３】
本発明の画像処理プログラムでは、上記合成制御処理が、そのパターン情報に対する原稿画像データの位置関係を可変する構成も可能である。
【００２４】
本発明の画像処理プログラムでは、上記合成制御処理が、そのパターン情報に対する原稿画像データ位置をずらせる構成も可能である。
【００２５】
本発明の画像処理プログラムでは、上記合成制御処理が、そのパターン情報に対する原稿画像データを縮小する構成も可能である。
【００２６】
本発明の画像処理プログラムでは、上記パターン情報検知処理が、そのパターン情報を検知したとき、記憶された画像データの印刷処理を実行する構成も可能である。
【００２７】
さらに、本発明の記憶媒体は、それらいずれかの画像処理プログラムを記憶するものである。
【発明の効果】
【００２８】
このような本発明に係る画像処理装置、画像処理方法および画像処理プログラムでは、原稿から画像データ生成手段で原稿画像データを生成し、生成された原稿画像データにパターン情報合成手段でパターン情報を合成して合成画像データを生成し、パターン情報検知手段でその合成画像データからそのパターン情報を検知し、このパターン情報検知手段がそのパターン情報を検知しないとき、合成制御手段にてそのパターン情報に対するその原稿画像データの合成関係を可変して白紙領域を増加させた合成画像データを再合成制御し、その画像データを記憶手段に記憶するから、合成画像データの印刷前において、複写禁止を示すパターン情報が合成された画像データから当該パターン情報を検知し易い。
【００２９】
本発明において、そのパターン情報に対する原稿画像データの位置関係を可変制御する構成では、パターン情報の検知し易い合成画像データを容易に得やすい。
【００３０】
本発明において、そのパターン情報に対する原稿画像データ位置をずらせる構成では、特に、パターン情報の検知し易い合成画像データを簡単に得やすい。
【００３１】
本発明において、そのパターン情報に対する原稿画像データを縮小させる構成では、同様に、パターン情報の検知し易い合成画像データを簡単に得やすい。
【００３２】
本発明において、上記そのパターン情報を検知したとき、記憶された画像データを印刷する構成では、パターン情報の検知し易い合成画像データを印刷した複写物が得られ、複写禁止頁の顕在化を介して複写禁止頁の流出を防ぐことが可能である。
【００３３】
そして、本発明の記憶媒体では、それらいずれかの画像処理プログラムを記憶するから、それら画像処理プログラムを有体物の形態で扱える。
【発明を実施するための最良の形態】
【００３４】
以下、本発明に係る実施の形態を図面を参照して説明する。
【００３５】
図１は本発明に係る画像処理装置の実施の一形態を示すブロック図である。本発明に係る画像処理方法、画像処理プログラムおよびこれを格納した記憶媒体は、画像処理装置を説明する過程で説明する。
【００３６】
図１において、本発明に係る画像処理装置は、バス７を介して接続された画像データ生成手段９、記憶手段１１、パターン情報合成手段１３、パターン情報検知手段１５、合成制御手段１７、印刷手段１９、操作表示手段２１、インターフェース手段２３およびこれらを制御する画像形成制御手段２５を有して構成されている。
【００３７】
画像データ生成手段９は、画像形成制御手段２５の制御の下、例えば印刷された複数頁の原稿を光学的に自動的に読み込み、フィルタ処理、変倍処理、γ処理および階調処理等をして電子的な原稿画像データを生成する公知の読取り手段やスキャナーであり、生成した原稿画像データが原稿の頁毎に記憶手段１１に順次記憶されるようになっている。記憶手段１１については後述する。
【００３８】
画像データ生成手段９は、複数頁の原稿を自動的に給紙読み込み機能を有する自動給紙機構を有するが、公知のものであるから図示および説明を省略する。
【００３９】
パターン情報合成手段１３は、画像形成制御手段２５の制御の下、生成された原稿画像データに対し、複写を禁止したい複写禁止頁についてのパターン情報５を例えば記憶手段１１から読み出し合成して合成画像データを生成し、当該画像データ頁をその合成画像データに置き換えて記憶手段１１に格納する機能の他、後述するようにそれらを再合成する機能を有している。複写禁止頁の指定は、例えば操作表示手段２１から指定される。
【００４０】
画像データ中における複写禁止頁を示すパターン情報５は、例えば上述した図５および図６に示したように、小さなドットｄ１からなる背景領域３ａ中に、大きなドットｄ２からなり複写禁止を示す「複写禁止」といったメッセージ情報３ｂを埋め込んで形成されている。なお、背景領域３ａのドットｄ１と複写禁止を示すメッセージ情報３ｂのドットｄ２を逆にすることも可能である。
【００４１】
パターン情報検知手段１５は、画像形成制御手段２５の制御の下、記憶手段１１に記憶された合成画像データを頁単位で読出し、合成画像データ中に複写禁止頁を示すパターン情報５が存在するか否かを検知し、そのパターン情報５の存在が検知されないとき、すなわちパターン情報５の検知に失敗したとき、その検知結果を合成制御手段１７に出力する機能を有している。
【００４２】
パターン情報検知手段１５は、例えば、背景領域３ａから公知のパターンマッチング法によってドットｄ１を検知し、所定の面積内でのドット数をカウンタ処理してドット密度を算出する一方、メッセージ情報３ｂ領域から同様のパターンマッチング法によってドットｄ２を検知し、所定の面積内でのドット数をカウンタ処理してパターン情報５のドット密度を算出し、例えば記憶手段１１に予め設定記憶された同一性判断の許容値となる閾値（基準ドット密度）とそれら算出ドット密度を比較し、閾値（基準ドット密度）内に含まれていないと判定した場合、検知結果としてパターン情報５の非存在を検知する。
【００４３】
本発明におけるパターン情報検知手法としては、上述したようにパターンマッチング法によってドットを検知するとともに所定の面積内でのドット密度を算出し、閾値（基準ドット密度）と比較してパターン情報５の有無を検知する手法の他、ドットを形成するドット寸法の大小、ドット形状や配列方法の差異によって検知可能であるし、単にドットパターンの有無等によって検知する等、種々の手法が適用可能である。
【００４４】
合成制御手段１７は、パターン情報検知手段１５がパターン情報５の非存在を検知してその検知結果を出力したとき、パターン情報合成手段１３に対し、当該合成画像データに係る原稿画像データおよびパターン情報５に基づき、それらの合成関係を可変して白紙領域を増加させた合成画像データを再合成するよう制御する機能を有している。すなわち、原稿画像データを変位させてパターン情報合成手段１３に出力し、パターン情報５と再合成させる機能を有している。
【００４５】
合成制御手段１７において合成関係を可変して白紙領域を増加させる手法としては、そのパターン情報５に対する原稿画像データの位置関係を変位する手法、更に具体的には、そのパターン情報５に対する原稿画像データ位置をずらせる手法がある。
【００４６】
さらに、図２に示すように、そのパターン情報５に対する原稿画像データ（図２中のマーク）を縮小させても、白紙領域を増加させことが可能である。
【００４７】
そのパターン情報５に対する原稿画像データの位置変位量又は縮小量は、記憶手段１１に格納されており、操作表示手段２１によって設定される。
【００４８】
印刷手段１９は、原稿画像データについてパターン情報５の検知やその再合成処理後に、画像形成制御手段２５の制御の下、記憶手段１１からの再合成画像データを含む画像データその他を印刷する公知のモノクロ又はカラー印刷エンジンである。
【００４９】
操作表示手段２１は、原稿の読取り開始指示入力、上述した閾値（基準ドット密度）等の設定の他、パターン情報５に対する原稿画像データの位置変位量又は縮小量等の指示入力の他、それらの動作状態を表示する機能を有し、当該装置本体ケース（図示せず。）に配置された表示手段と入力手段を兼ねた液晶タッチパネルからなり、画像形成制御手段２５によって制御される。
【００５０】
インターフェース手段２３は、後述する画像処理プログラムを格納する例えばハードディスク（ＨＤＤ）、ＵＳＢメモリ、フレキシブルディスクその他公知の外部記憶媒体２９に対し、画像形成制御手段２５の制御の下、その画像処理プログラムの読出を制御する入出力制御部である。
【００５１】
画像形成制御手段２５は、上述したように、バス７を介して接続された画像データ生成手段９、記憶手段１１、パターン情報合成手段１３、パターン情報検知手段１５、合成制御手段１７、印刷手段１９、操作表示手段２１およびインターフェース手段２３の機能を制御するＣＰＵ等であり、それらの一部を実質的に構成している場合もある。
【００５２】
上述した記憶手段１１は、画像形成制御手段２５等の動作プログラムを格納する他、上述したように、生成した画像データ、閾値（基準ドット密度）、合成画像データや再合成画像データ等の画像データ、パターン情報５の位置変位量又は縮小量等の指示入力の他を格納する機能を有する読み書き可能なメモリである。
【００５３】
次に、本発明に係る画像処理装置の動作を、図３のフローチャートおよび図４の動作概念図を参照して説明する。
【００５４】
プログラムが開始されると、ステップＳ１において、原稿としての複数頁の用紙１を画像データ生成手段９で読み込んで原稿画像データを順次生成する画像生成処理を実行するとともに、記憶手段１１への記憶処理を実行し、ステップＳ２においてその原稿画像データへのパターン情報５の合成処理をパターン情報合成手段１３で実行する。
【００５５】
続くステップＳ３において合成画像データ中に複写禁止を示すパターン情報５が存在するか否かパターン情報検知手段１５にてパターン情報検知処理を実行する。
【００５６】
全ての合成画像データ中にパターン情報５が検知されてＹＥＳの場合には、ステップＳ４に移って画像データを印刷手段１９にて印刷処理して終了する。
【００５７】
合成画像データについて、本来存在すべきパターン情報５が検知されずにステップＳ３がＮＯの場合には、ステップＳ５において合成制御手段１７がパターン情報５に対する原稿画像データの位置をシフト処理し、ステップＳ６において合成制御手段１７がパターン情報合成手段１３を制御して原稿画像データにパターン情報５を再合成処理してステップＳ３に戻る。その後はステップＳ３からステップＳ６を繰返す。
【００５８】
例えば、図４に示すように、読み込まれた用紙１中に原稿画像データとして「ＡＢＣＤＥＦＧＨＩ」と表示されている場合、この頁のパターン情報５を合成してもこれが検知されない場合、当該「ＡＢＣＤＥＦＧＨＩ」を縮小した状態でパターン情報５に再合成して印刷手段１９から印刷出力される。
【００５９】
そして、それらの実行処理が本発明に係る画像処理プログラムであり、本発明に係る記憶媒体２９はそれら画像処理プログラムを格納したものである。なお、本発明に係る画像処理方法は、画像処理プログラムにおけるそれらの処理を工程に置き換えれて考えれば良い。
【００６０】
このように本発明の画像処理装置では、原稿を読み込んで画像データを生成する画像データ生成手段９と、その画像データを記憶する記憶手段１１と、記憶された原稿画像データに複写禁止頁を示すパターン情報５を合成して合成画像データを生成するパターン情報合成手段１３と、その合成画像データからそのパターン情報５を検知するパターン情報検知手段１５と、このパターン情報検知手段１５がそのパターン情報５を検知しないとき、そのパターン情報５に対する原稿画像データ位置をずらせたり縮小させて白紙領域を増加させた合成画像データの再合成を制御する合成制御手段１７と、それら画像データを印刷する印刷手段１９を具備している。
【００６１】
そのため、複写禁止を示すパターン情報５が埋め込まれた合成画像データ、合成画像データからパターン情報５の検知・非検知が判別し易い。
【００６２】
しかも、原稿画像データやパターン情報５の位置変位や縮小処理処理は高速可能であるから、合成画像データの再合成処理速度が低下し難く、文書セキュリティ向上の要求に有用である。
【００６３】
もっとも、本発明の画像処理装置において、パターン情報検知手段１５の機能は、パターン情報５に対する原稿画像データの位置をずらせたり縮小させて白紙領域を増加させる機能に限定されるものではなく、白紙領域を増加させる手法であればパターン情報５に対する原稿画像データの合成関係を可変する種々の手法が可能である。本発明の画像処理方法および画像処理プログラムにおいても同様である。
【００６４】
また、本発明においては、画像データ生成手段９、記憶手段１１、パターン情報合成手段１３、パターン情報検知手段１５、合成制御手段１７を具備して構成すれば、本発明の目的達成が可能であり、必ずしも印刷手段１９、操作表示手段２１およびインターフェース手段２３は必須ではなく、記憶手段１１についても、生成された画像データを読み書き可能に格納可能なものであれば本発明の目的達成が可能である。
【００６５】
なお、画像形成制御手段２５は、上述した説明では個別に分けて説明図示したが、画像データ生成手段９、記憶手段１１、パターン情報合成手段１３、パターン情報検知手段１５、合成制御手段１７等に一体化されると考えることも可能であるし、パターン情報合成手段１３と合成制御手段１７も上述した説明では個別に分けて説明図示したが、合成制御手段１７をパターン情報合成手段１３に付加することも可能である。
【００６６】
そして、画像データ生成手段９、記憶手段１１、パターン情報合成手段１３、パターン情報検知手段１５、合成制御手段１７、画像形成制御手段２５は、必ずしもバス７を介して接続される構成に限らず、画像データ生成手段９としてのスキャナー、記憶手段１１、パターン情報合成手段１３、パターン情報検知手段１５および合成制御手段１７としてのパソコン、印刷手段１９としてのプリンタを例えばネットワークを介して接続した構成においても実施可能である。
【００６７】
また、本発明に係る上述した画像処理方法および画像処理プログラムにおいて、再合成工程や処理としてパターン情報５に対する原稿画像データの位置関係を可変する構成、そのパターン情報５に対する原稿画像データの位置をずらせたり縮小させる構成においても、画像処理装置と同様な効果を得ることが可能である。
【図面の簡単な説明】
【００６８】
【図１】本発明に係る画像処理装置の実施の一形態を示すブロック図である。
【図２】本発明における原稿画像データの位置変位を説明する図である。
【図３】図１の画像処理装置の動作を説明するフローチャートである。
【図４】図１の画像処理装置の動作を説明する動作概念図である。
【図５】複写禁止を示すパターン情報を埋め込んだ用紙を説明する図である。
【図６】パターン情報を表現するドットを説明する図である。
【符号の説明】
【００６９】
１  用紙
１ａ、１ｂ  複写物
３ａ  背景領域
３ｂ  メッセージ情報
５  パターン情報
７  バス
９  画像データ生成手段
１１  記憶手段
１３  パターン情報合成手段
１５  パターン情報検知手段
１７  合成制御手段
１９  印刷手段
２１  操作表示手段
２３  インターフェース手段
２５  画像形成制御手段
２９  記録媒体
ｄ１、ｄ２  ドット
【図１】
2008061021.tif 000003
【図２】
2008061021.tif 000004
【図３】
2008061021.tif 000005
【図４】
2008061021.tif 000006
【図５】
2008061021.tif 000007
【図６】
2008061021.tif 000008